(57)【特許請求の範囲】
【請求項１】
濡れた状態の内視鏡を搬送するための内視鏡搬送器具であり、
内視鏡を保持し、前記内視鏡を上方に配置した場合に、前記内視鏡から滴る液体を除水する貫通孔を有する保持部と、
前記保持部により保持された前記内視鏡を上方に配置した場合に、上方に開口して前記内視鏡から滴る液体を受け止める液密な凹部を有し、前記貫通孔を塞がない位置で前記保持部に連結している液受け部と、
を具備することを特徴とする内視鏡搬送器具。
【請求項２】
前記保持部は、
複数の前記貫通孔が形成された面状の部材である支持面部と、
前記支持面部に対し、前記内視鏡の少なくとも操作部を支持する内視鏡係止部と、
前記支持面部に対し、前記内視鏡の挿入部を巻回した状態で支持する巻回部と、
を含むことを特徴とする請求項１に記載の内視鏡搬送器具。
【請求項３】
前記保持部には、当該内視鏡搬送器具を、前記凹部が上方に向かって開口するように吊すためのフックが設けられていることを特徴とする請求項１に記載の内視鏡搬送器具。
【請求項４】
前記液受け部は、一端が回動可能なように他端が前記保持部に接続されることで、
前記フックによって当該内視鏡搬送器具が吊り下げられている場合に、前記凹部が前記保持部によって支持された前記内視鏡の下方において開口する第１の位置と、前記保持部によって支持された前記内視鏡の下方から退避した第２の位置とに移動可能であることを特徴とする請求項３に記載の内視鏡搬送器具。
【請求項５】
前記液受け部の前記凹部の底面部の内面は、円弧状に凹んでいることを特徴とする請求項２に記載の内視鏡搬送器具。
【請求項６】
前記巻回部は、前記挿入部を周囲に巻回するため円筒状の部材からなり、
前記支持面部に対して着脱可能な着脱部を有することを特徴とする請求項２に記載の内視鏡搬送器具。
【発明の詳細な説明】
【技術分野】
【０００１】
本発明は、内視鏡を保持することが可能な内視鏡搬送器具に関する。
【背景技術】
【０００２】
医療分野において使用される内視鏡は、例えば日本国特開２００９−１７２０５５号公報に開示されているように、使用後に洗浄消毒装置を用いた洗浄処理及び消毒処理が施される。また、使用後の内視鏡に対して洗浄消毒装置による自動の処理を実施する前には、流し台において、流水及びブラシ等を用いて内視鏡に付着した汚れを落とす予備洗浄が行われる。【０００３】
予備洗浄後の内視鏡を流し台から洗浄消毒装置まで搬送する場合には、当該内視鏡に消毒処理が施されておらず、かつ濡れた状態であることから、内視鏡から落ちる液滴が床や他の部材に付着することを避ける必要がある。【０００４】
本発明は、上述した点に鑑みてなされたものであって、内視鏡からの液滴の落下を防止しながら内視鏡の搬送が可能な内視鏡搬送器具を提供することを目的とする。
【発明の開示】
【課題を解決するための手段】
【０００５】
本発明の一態様の内視鏡搬送器具は、濡れた状態の内視鏡を搬送するための内視鏡搬送器具であり、内視鏡を保持し、前記内視鏡を上方に配置した場合に、前記内視鏡から滴る液体を除水する貫通孔を有する保持部と、前記保持部により保持された前記内視鏡を上方に配置した場合に、上方に開口して前記内視鏡から滴る液体を受け止める液密な凹部を有し、前記貫通孔を塞がない位置で前記保持部に連結している液受け部と、を具備する。
【図面の簡単な説明】
【０００６】
【図１】第１の実施形態の内視鏡搬送器具の、内視鏡を保持した状態の正面図である。
【図２】第１の実施形態の内視鏡搬送器具の、内視鏡を保持した状態の斜視図である。
【図３】第１の実施形態の内視鏡搬送器具の正面図である。
【図４】第１の実施形態の内視鏡搬送器具の斜視図である。
【図５】第１の実施形態の内視鏡搬送器具の側面図である。
【図６】巻回部の構成を示す斜視図である。
【図７】支持面部の変形例を示す図である。
【図８】第１の実施形態の内視鏡搬送器具を処理槽内に載置した状態を上方から見た図である。
【図９】第１の実施形態の内視鏡搬送器具に内視鏡を収める手順を説明する図である。
【図１０】第１の実施形態の内視鏡搬送器具に内視鏡を収める手順を説明する図である。
【図１１】第１の実施形態の内視鏡搬送器具に内視鏡を収める手順を説明する図である。
【図１２】流し台上にて第１の実施形態の内視鏡搬送器具を使用している状態を示す図である。
【図１３】巻回部の変形例を示す図である。
【図１４】第２の実施形態の内視鏡搬送器具の正面図である。
【図１５】第２の実施形態の内視鏡搬送器具の側面図である。
【図１６】第２の実施形態の内視鏡搬送器具の変形例を示す図である。
【発明を実施するための最良の形態】
【０００７】
以下に、本発明の好ましい形態について図面を参照して説明する。なお、以下の説明に用いる各図においては、各構成要素を図面上で認識可能な程度の大きさとするため、各構成要素の縮尺を異ならせてあるものであり、本発明は、これらの図に記載された構成要素の数量、構成要素の形状、構成要素の大きさの比率、及び各構成要素の相対的な位置関係のみに限定されるものではない。【０００８】
（第１の実施形態）  
以下に、本発明の第１の実施形態の一例を説明する。本実施形態の内視鏡搬送器具１は、図１及び図２に示すように、挿入部２１を備える内視鏡２０を搬送するための器具であり、挿入部２１を保持する器具である。【０００９】
なお、内視鏡２０は周知のものであるため、特に構成が限定されるものではなく、またその詳細な構成の説明は省略するものとする。概略的には、内視鏡２０は、被検体内に導入される細長の挿入部２１、挿入部２１の基端側に設けられた操作部２２、操作部２２から延出するユニバーサルコード２３及びユニバーサルコード２３に設けられたコネクタ部２４を具備して構成されている。挿入部２１は、先端部近傍を除き、可撓性を有している。【００１０】
ユニバーサルコード２３及びコネクタ部２４は、内視鏡２０をビデオプロセッサや吸引装置等の外部装置に接続するための構成である。したがって、内視鏡２０が外部装置との接続を必要とせず単体で動作可能な形態を有する場合には、ユニバーサルコード２３及びコネクタ部２４は、不要である。すなわち、本実施形態の内視鏡搬送器具１が保持する内視鏡２０は、少なくとも挿入部２１及び操作部２２を有して構成されたものであればよい。【００１１】
なお、内視鏡２０の挿入部２１が導入される被検体は、人体に限らず、他の生体であってもよいし、機械や建築物等の構造物であってもよい。また、内視鏡２０は、被検体内の光学像のみを撮像する構成に限らず、超音波によって被検体の断層像を撮像する構成のものであってもよい。【００１２】
内視鏡搬送器具１は、液受け部５、及び保持部２を具備して構成されている。【００１３】
液受け部５は、凹部５ａが形成された皿状の部材である。液受け部５は、凹部５ａが略上方に向かって開口する姿勢である場合に、凹部５ａ内に液体を受け止めて貯留することができる液密な構成を有する。すなわち、凹部５ａの底面部５ｅには液体が透過する貫通孔が形成されていない。【００１４】
保持部２は、液受け部５の凹部５ａが上方に向かって開口する姿勢である場合に、内視鏡２０を、凹部５ａの上方において支持するように構成されている。言い換えれば、液受け部５は、保持部２によって内視鏡２０が支持される位置に向かって凹部５ａが開口するように配設されている。また、保持部２は、内視鏡搬送器具１の周囲の雰囲気が内視鏡２０の外表面に触れるように、内視鏡２０を支持する。【００１５】
具体的には、保持部２は、支持面部２ａ、内視鏡係止部３及び巻回部６を有して構成されている。支持面部２ａは、面状の部材であって、複数の貫通孔２ｂが形成されている。支持面部２ａは、平面に沿った形状であってもよいし、円筒面や球面等の曲面に沿った形状であってもよい。また、支持面部２ａには、屈曲部が設けられていてもよい。貫通孔２ｂは、支持面部２ａの面が略水平となる姿勢とし、当該支持面部２ａの上方に内視鏡２０を配置した場合に、内視鏡２０から滴る液体を支持面部２ａ上から除く（除水する）ものである。保持部２の支持面部２ａは、液受け部５の凹部５ａの底面部５ｅと交差するように配置されており、保持部２によって保持された内視鏡５０を液受け部５の凹部５ａの上方に配置することができる。また、保持部２には、後述するフック４が設けられている。【００１６】
本実施形態では一例として、図４及び図５に示すように、支持面部２ａは、所定の１つの平面に沿った格子状の部材によって構成されている。支持面部２ａは、支持面部２ａの外周に配設された枠部材２ｃを有している。枠部材２ｃによって囲まれた領域内に、格子を構成する部材が配設されている。本実施形態においては、格子を構成する棒状部材２ｄ間の隙間が、貫通孔２ｂである。【００１７】
なお、支持面部２ａの格子の形状や、支持面部２ａの面積に占める貫通孔２ｂの面積の比率は特に限定されるものではない。例えば、格子は、棒状部材が交差するように配置されることによって形成される形態であってもよい。また、枠部材２ｃの強度が十分なものであれば、その内側に配設される格子は、糸状の部材からなる網であってもよい。【００１８】
また、図７に変形例として示すように、支持面部２ａは、複数の貫通孔２ｂが設けられた平板部材によって構成されていてもよい。図７に示す変形例では、支持面部２ａが平板部材によって構成されることから、支持面部２ａの剛性を高くすることが可能である。【００１９】
面状の部材である支持面部２ａの一方の面には、内視鏡係止部３及び巻回部６が配設されている。内視鏡係止部３は、内視鏡２０の少なくとも操作部２２を、支持面部２ａに係止するための部材である。巻回部６は、内視鏡２０の挿入部２１を巻回した状態で、支持面部２ａに係止するための部材である。内視鏡２０は、内視鏡係止部３及び巻回部６によって、支持面部２ａの一方の面上において支持される。【００２０】
本実施形態では一例として、内視鏡係止部３は、操作部２２を支持する第１支持部３ａと、コネクタ部２４を支持する第２支持部３ｂとによって構成されている。第１支持部３ａ及び第２支持部３ｂは、可撓性を有するバンド状の部材であって、それぞれ操作部２２及びコネクタ部２４の周囲に取り回された状態において、両端部を支持面部２ａに係止する。【００２１】
第１支持部３ａ及び第２支持部３ｂは、操作部２２及びコネクタ部２４の周囲に取り回した状態において、操作部２２及びコネクタ部２４の外表面に密着しない長さを有している。言い換えれば、保持部２によって内視鏡２０が支持された状態において、内視鏡係止部３と内視鏡２０の外表面との間には、隙間を生じさせる。なお、内視鏡係止部３の構成は本実施形態に限られるものではなく、内視鏡係止部３は鉤状の剛性を有する部材であってもよい。【００２２】
また、本実施形態では一例として、巻回部６は、挿入部２１を周囲に巻回するためのリール状の部材である。より詳細には、巻回部６は円筒状の部材であって、円筒面の外周に、周方向に溝部６ａが形成されている。この溝部６ａに沿って、挿入部２１は巻回部６の周囲に巻回される。【００２３】
巻回部６は、内視鏡係止部３と液受け部５との間に配設されている。言い換えれば、液受け部５の凹部５ａが上方に向かって開口する姿勢である場合に、巻回部６は、液受け部５の直上に配設されている。【００２４】
また、図６に示すように、本実施形態では一例として、巻回部６は支持面部２ａに対して着脱可能に構成されている。本実施形態では、支持面部２ａに対して巻回部６を着脱可能とするための着脱部の一例として、巻回部６に中心軸に沿って一方に突出する突出部６ｂが設けられている。該突出部６ｂを支持面部２ａに設けられた係合孔部２ｅ内に嵌め合わせることによって、巻回部６が着脱可能に支持面部２ａに固定される。【００２５】
また、本実施形態では、突出部６ｂの先端部に、径方向外側に向かって突出する鉤状部６ｃが設けられている。鉤状部６ｃが支持面部２ａの反対側の面から突出するように突出部６ｂを係合孔部２ｅ内に挿入した状態において、巻回部６を中心軸周りに回動させることによって、突出部６ｂが係合孔部２ｅから抜け落ちないように固定することができる。【００２６】
なお、巻回部６を支持面部２ａに対して着脱可能とする構成は特に限定されるものではなく、ネジ機構やクランプ機構等によって巻回部６を支持面部２ａに固定する形態であってもよい。また、巻回部６は、支持面部２ａに固定された形態であってもよい。【００２７】
また、本実施形態の保持部２には、フック４及び保護枠７が配設されている。フック４は、内視鏡搬送器具１を他の棒状の部材や紐状の部材に吊り下げるための、鉤状の部材である。【００２８】
フック４は、当該フック４において内視鏡搬送器具１が他の部材に吊り下がった状態において、例えば図３及び図５に示すように、液受け部５の凹部５ａが上方（図中において上方）に向かって開口し、凹部５ａの上方に保持部２が位置する箇所に配設されている。すなわち、フック４は、液受け部５とは保持部２を挟んで反対側に配設されている。【００２９】
本実施形態のフック４の基部は、図５及び図６に矢印Ａ２で示すように回動可能である。具体的には、フック４は、支持面部２ａを平面視した場合（図３の視点）に、支持面部２ａの外縁よりも外方に突出する使用位置と、支持面部２ａの外縁内に収まる収納位置との２つの位置に移動可能である。フック４を用いて内視鏡搬送器具１を吊り下げる場合には、フック４は使用位置に位置する。【００３０】
保護枠７は、支持面部２ａの内視鏡係止部３及び巻回部６が配設されている一方の面上において、平面状である支持面部２ａに対して略直交するように立設された一つ又は複数の枠状の部材である。保護枠７は、支持面部２ａの外縁部に沿って設けられており、支持面部２ａに沿う方向に流れる流体を透過するように、貫通孔である開口部が形成されている。【００３１】
保護枠７は、支持面部２ａの一方の面上に内視鏡係止部３によって係止された内視鏡２０よりも突出する高さで設けられており、内視鏡２０と他の部材との接触を防止する効果を有する。本実施形態では一例として、保護枠７は、操作部２２及びコネクタ部２４が係止される箇所の周囲に配設されている。なお、保護枠７は。支持面部２ａの外縁部の全体に設けられていてもよい。【００３２】
液受け部５は、前記保持部２によって支持されている。前述のように、フック４において内視鏡搬送器具１を吊り下げた場合に、保持部２の下方に位置し、かつ凹部５ａが上方に向かって開口するように配設されている。またこの場合において、液受け部５は、内視鏡搬送器具１を上方から見た場合に、保持部２によって支持された内視鏡２０の外形が、凹部５ａの開口部内に収まる形状を有している。【００３３】
より具体的に本実施形態では、図３及び図５に示すように、フック４において内視鏡搬送器具１を吊り下げた場合に、支持面部２ａ、内視鏡係止部３及び巻回部６が、液受け部５の凹部５ａの上方に配設されている。言い換えれば、フック４において内視鏡搬送器具１を吊り下げた際に、内視鏡搬送器具１を上方から見た場合における支持面部２ａ、内視鏡係止部３及び巻回部６の外形が収まる形状の開口部を有した凹部５ａが、液受け部５に形成されている。【００３４】
液受け部５は、円弧状に凹んでいる凹部５ａの底面部５ｅが巻回部６の外周に近接するように配設されており、図３に示すように支持面部２ａを平面視した場合において、凹部５ａ内に巻回部６の一部が入り込む。凹部５ａの底面部５ｅは、支持面部２ａに対して略直交し、円筒形状である巻回部６の外周に沿って湾曲した面に沿った形状を有している。言い換えれば、凹部５ａの底面部５ｅは、巻回部６に巻回され湾曲した状態の挿入部２１の外側において、挿入部２１の湾曲に沿った略円筒形状である。【００３５】
本実施形態では一例として、凹部５ａの底面部５ｅは、巻回部６の外周の直径よりも大きい直径の円筒面によって構成されている。円筒面である底面部５ｅの中心軸は、巻回部６の中心軸と略平行である。【００３６】
なお、凹部５ａの底面部５ｅは、巻回部６の外周に概ね沿った形状であればよく、円筒形状に限られるものではない。例えば、凹部５ａの底面部５ｅは、複数の平面によって構成された多面体であってもよいし、また凹部５ａの底面部５ｅは、楕円筒形状であってもよい。【００３７】
また、本実施形態では、凹部５ａの深さは、巻回部６の半径よりも小さい値である。液受け部５は、所定の厚さの部材によって形成されており、支持面部２ａを平面視した場合において、液受け部５は、弓なりに曲がった略三日月形状の外形となる。【００３８】
液受け部５は、保持部２に固定された形態であってもよいし、保持部２に対して移動可能もしくは着脱可能な形態であってもよい。【００３９】
本実施形態では一例として、液受け部５は、保持部２に対して移動可能である。液受け部５は、前述したように凹部５ａの底面部５ｅが巻回部６の外周に近接する第１の位置と、凹部５ａの底面部５ｅが巻回部６から離間した第２の位置との間で移動可能である。図３及び６において、実線で示した液受け部５の位置が前記第１の位置であり、二点鎖線で示した位置が前記第２の位置である。【００４０】
より具体的には、本実施形態の保持部２には、弓なりに曲がった外形である液受け部５の一端を回動可能に支持する回動軸部２ｆが設けられている。回動軸部２ｆは、支持面部２ａの内視鏡係止部３及び巻回部６が配設されている一方の面上において、平面状である支持面部２ａに対して略直交するように立設された軸状の部材である。【００４１】
液受け部５は、一端に回動軸部２ｆ周りに回動可能に接続される軸受部５ｂを有しており、第１の位置及び第２の位置の間で移動可能である。また、支持面部２ａには、液受け部５を第１の位置に係止する第１係止部２ｇ、及び液受け部５を第２の位置に係止する第２係止部２ｈが配設されている。【００４２】
第１係止部２ｇは、支持面部２ａの一方の面上において、平面状である支持面部２ａに対して略直交するように立設された軸状の部材である。液受け部５の他端に設けられた第１フック部５ｃが、この第１係止部２ｇに係止されることにより、液受け部５は第１の位置に固定される。【００４３】
第２係止部２ｈは、支持面部２ａの一方の面上において、平面状である支持面部２ａに対して略直交するように立設された軸状の部材である。液受け部５に設けられた第２フック部５ｄが、この第２係止部２ｈに係止されることにより、液受け部５は第２の位置に固定される。【００４４】
本実施形態では、フック４において内視鏡搬送器具１を吊り下げ、かつ液受け部５が第２の位置に固定されている場合には、液受け部５は、保持部２の下方から退避した状態となる。【００４５】
そして、図８に示すように、本実施形態の内視鏡搬送器具１は、内視鏡２０を保持した状態で、内視鏡洗浄消毒装置３０の処理槽３１内に載置可能である。ここで、保持部２の支持面部２ａは、処理槽３１内において、下方側もしくは上方側に位置する。また、フック４は、収納位置に位置しており、液受け部５は、第１の位置に位置している。このように、フック４が、支持面部２ａを平面視した場合に、支持面部２ａの外縁内に収まる収納位置に位置することが可能であることから、内視鏡搬送器具１は、小型な処理槽３１内に容易に載置することが可能である。【００４６】
前述のように、支持面部２ａ及び保護枠７には、開口部が設けられており、かつ、内視鏡係止部３は、内視鏡２０の外表面との間に隙間を生じさせることが可能であることから、処理槽３１内において、洗浄液、消毒液又は水道水等の液体は、内視鏡搬送器具１によって妨げられることなく、内視鏡２０と満遍なく接触する。【００４７】
また、処理槽３１内において、液受け部５の凹部５ａの底面部５ｅが、巻回部６の外周に近接していることから、巻回部６の周囲の液体は、図８中に矢印Ａ１で示すように、凹部５ａの底面部５ｅに沿って流れる。すなわち、液受け部５が存在することによって、処理槽３１内の液体は、巻回部６によって巻回された挿入部２１の長手方向に沿って流れる。以上のことから、内視鏡搬送器具１によって保持された内視鏡２０に対して、洗浄液、消毒液及び水道水等の液体を用いた処理を十分に施すことが可能である。【００４８】
次に、前述のような構成を有する内視鏡搬送器具１によって、内視鏡２０を保持する際の手順を説明する。【００４９】
まず図９に示すように、液受け部５を第２の位置に固定した状態において、第１支持部３ａによって、操作部２２を、支持面部２ａに対して支持する。次に、図１０に示すように、支持面部２ａから取り外された状態の巻回部６の周囲に、挿入部２１を巻回する。【００５０】
次に、図１１に示すように、巻回部６を支持面部２ａに固定した後に、第２支持部３ｂによって、コネクタ部２４を、支持面部２ａに対して支持する。なお、図１１の手順においては、必要に応じて、ユニバーサルコード２３を、巻回部６の周囲に巻回する。そして、液受け部５を第１位の位置まで回動させ、固定することによって、図２に示すように、内視鏡搬送器具１によって内視鏡２０が保持された状態となる。【００５１】
例えば、図１２に示すように、内視鏡２０の予備洗浄を行う流し台４０の上方に渡し棒４１を設け、該渡し棒４１に内視鏡搬送器具１のフック４を係止すれば、前述した手順によって、流し台４０の上方において予備洗浄後の内視鏡２０を、内視鏡搬送器具１によって保持した状態とすることが可能である。なお、渡し棒４１が存在しない場合には、この作業は流し台４０の底面部上に内視鏡搬送器具１を載置することによって実施可能である。【００５２】
このように、予備洗浄後の内視鏡２０を流し台４０から内視鏡搬送器具１に移す作業は、流し台４０内で行うことが可能であることから、この作業の実施時において、内視鏡２０に付着している液滴が床や他の部材に付着することはない。【００５３】
そして、内視鏡２０を内視鏡洗浄消毒装置３０の処理槽３１内にまで搬送する場合には、内視鏡２０を保持した状態の内視鏡搬送器具１を、フック４を上方にしたまま運び、図８に示すように内視鏡搬送器具１ごと処理槽３１内に載置する。【００５４】
この手順において、内視鏡搬送器具１を運ぶ際には、内視鏡２０及び内視鏡２０を保持する保持部２の下方に、皿状の液受け部５が位置している。したがって、内視鏡２０から液滴が落下したとしても、液滴は液受け部５の凹部５ａ内に落下する。そして、液受け部５はそのまま処理槽３１内に置かれる。このため、予備洗浄後の内視鏡２０に付着している液滴は、全て処理槽３１内に収まる。【００５５】
以上のように、本実施形態によれば、内視鏡２０からの液滴の落下を防止しながら内視鏡２０を搬送することが可能である。【００５６】
また、内視鏡搬送器具１は、内視鏡２０を保持した状態において、内視鏡２０の周囲を、支持面部２ａ、保護枠７及び液受け部５によって囲う構成を有していることから、搬送中において内視鏡２０が他の部材と接触することを防止することができる。【００５７】
また、本実施形態によれば、内視鏡洗浄消毒装置３０による、洗浄処理及び消毒処理が実施された後の内視鏡２０を、図９に示すように、内視鏡搬送器具１から取り外すことなく吊り下げ、乾燥処理及び保管を行うことが可能である。【００５８】
なお、上述した実施形態では、巻回部６は、挿入部２１を巻回するための部材であるが、巻回部６は、例えば図１３に変形例として示すように、内視鏡２０のボタン等の付属品を収容可能に構成されていてもよい。図１３に示す変形例では、巻回部６の外周面６ｄが格子状の部材によって構成されており、巻回部６の内部には、付属品を収容可能な空間６ｅが形成されている。【００５９】
外周面６ｄが格子状であることから、空間６ｅは、巻回部６の周囲の空間と連通している。また、巻回部６には、空間６ｅ内にアクセスするための蓋部材６ｆが設けられている。蓋部材６ｆを開状態とすることにより、空間６ｅ内に付属品を収めることが可能となる。このような変形例によれば、処理槽３１内において、付属品に対しても、内視鏡２０と同時に洗浄処理及び消毒処理を実施することが可能となる。【００６０】
なお、本実施形態では、蓋部材６ｆは、ヒンジ部６ｇ周りに回動することによって、開閉の状態を切り替える形態である。ここで、ヒンジ部６ｇは、巻回部６を支持面部２ａに固定した状態において、フック４に近い側となることが好ましい。すなわち、内視鏡搬送器具１をフック４が上となる姿勢とした場合において、ヒンジ部６ｇが蓋部材６ｆの上方に位置することが好ましい。このように、内視鏡搬送器具１を持ち運ぶ際にヒンジ部６ｇが蓋部材６ｆの上方となるように配設することによって、蓋部材６ｆが不意に開状態となることを防止することができる。【００６１】
（第２の実施形態）  
以下に、本発明の第２の実施形態を説明する。以下では、第１の実施形態と同一の構成要素については同一の符号を付し、その説明を適宜に省略するものとする。【００６２】
本実施形態の内視鏡搬送器具１０は、第１の実施形態に比して、主に巻回部１６の構成が異なる。【００６３】
本実施形態の内視鏡搬送器具１０の巻回部１６は、図１４及び図１５に示すように、支持面部２ａに固定された複数の鉤状又は環状の挿通部１６ａによって構成されている。挿通部１６ａには、挿入部２１を係止又は挿通することが可能である。【００６４】
複数の挿通部１６ａは、例えば、図１４に示すように、挿入部２１が順次に挿通されることによって、挿入部２１を略渦巻き状に巻回した姿勢で、支持面部２ａに対して支持することが可能なように配置されている。【００６５】
本実施形態のように、巻回部１６が支持面部２ａに固定された構成であっても、フック４を上方に位置させた場合において、保持部２及び保持部２によって保持された内視鏡２０が、液受け部５の凹部５ａの上方に位置することは、第１の実施形態と同様である。したがって、本実施形態の内視鏡搬送器具１０も、第１の実施形態と同様に、内視鏡２０からの液滴の落下を防止しながら内視鏡２０を搬送することが可能である。【００６６】
なお、図１６に示すように、内視鏡搬送器具１０は、内視鏡２０のボタン等の付属品を収容可能な、かご部材１１を備えていてもよい。かご部材１１は、周囲が格子状の部材によって構成されており、内部空間は、外部空間と連通している。このような変形例によれば、処理槽３１内において、付属品に対しても、内視鏡２０と同時に洗浄処理及び消毒処理を実施することが可能となる。【００６７】
なお、本発明は、上述した実施形態に限られるものではなく、請求の範囲及び明細書全体から読み取れる発明の要旨或いは思想に反しない範囲で適宜変更可能であり、そのような変更を伴う内視鏡搬送器具もまた本発明の技術的範囲に含まれるものである。【００６８】
本出願は、２０１３年７月１７日に日本国に出願された特願２０１３−１４８６４２号を優先権主張の基礎として出願するものであり、上記の開示内容は、本願明細書、請求の範囲、図面に引用されたものとする。
【要約】
本発明の内視鏡搬送器具は、内視鏡を保持し、前記内視鏡を上方に配置した場合に、前記内視鏡から滴る液体を除水する貫通孔を有する保持部と、前記保持部に交差するように配置され、前記保持部により保持された前記内視鏡を上方に配置した場合に、上方に開口して前記内視鏡から滴る液体を受け止める液密な凹部を有する液受け部と、を具備する。【図１】
0005718539.tif 000002
【図２】
0005718539.tif 000003
【図３】
0005718539.tif 000004
【図４】
0005718539.tif 000005
【図５】
0005718539.tif 000006
【図６】
0005718539.tif 000007
【図７】
0005718539.tif 000008
【図８】
0005718539.tif 000009
【図９】
0005718539.tif 000010
【図１０】
0005718539.tif 000011
【図１１】
0005718539.tif 000012
【図１２】
0005718539.tif 000013
【図１３】
0005718539.tif 000014
【図１４】
0005718539.tif 000015
【図１５】
0005718539.tif 000016
【図１６】
0005718539.tif 000017